(57)【要約】【課題】給水調節が可能であると共に、小型で設置に場所をとらず、且つ、簡素な構造で安価に製造できる給水調節機能付き鉢植給水器を提供する。【解決手段】給排水部２に蓋部３が螺着自在に設けられ、蓋部３によって密閉自在の透明又は半透明の水槽部４と、蓋部３を貫通し、蓋部３から外方に突設して設けられる透明又は半透明の円筒部５と、蓋部３を貫通し、水槽部４内と円筒部５内とを連通させる細筒６とを備え、水を入れた水槽部４を上にして、円筒部５の先端を植木鉢１１の土１２内に差し込み、又は、植木鉢１１の土１２上面近傍に位置させ、蓋部３の螺着を緩めると、螺着を緩めた割合に応じて、蓋部３の隙間から水槽部４に外気が進入し、外気の進入に応じて、水槽部４内の水が水槽部４内から細筒６及び円筒部５内を通過して植木鉢１１の土１２上に滴下するように構成されている給水調節機能付き鉢植給水器１を提供する。【選択図】図３
2010035456.tif 000002
【特許請求の範囲】
【請求項１】
給排水部に蓋部が螺着自在に設けられ、前記蓋部によって密閉自在の透明又は半透明の水槽部と、前記蓋部を貫通し、前記蓋部から外方に突設して設けられる透明又は半透明の円筒部と、前記蓋部を貫通し、前記水槽部内と前記円筒部内とを連通させる細筒とを備え、水を入れた前記水槽部を上にして、前記円筒部の先端を植木鉢の土内に差し込み、又は、植木鉢の土上面近傍に位置させ、前記蓋部の螺着を緩めると、前記螺着を緩めた割合に応じて、前記蓋部の隙間から前記水槽部に外気が進入し、外気の進入に応じて、前記水槽部内の水が前記水槽部内から前記細筒及び前記円筒部内を通過して前記植木鉢の土上に滴下するように構成されていることを特徴とする給水調節機能付き鉢植給水器。
【請求項２】
前記円筒部は、基端部がフランジ状に拡径して前記蓋部内に装着され、前記蓋部を前記給排水部に螺着すると、前記基端部はパッキンを介して前記給排水部に圧着され前記給排水部と前記基端部間が気密状態になり、前記蓋部の螺着を緩めると、前記給排水部と前記基端部間に生じる隙間から前記水槽部に外気が進入し、外気の進入に応じて、前記水槽部から前記細筒及び前記円筒部内を通過して前記水槽部の水が前記植木鉢の土上に滴下するように構成されていることを特徴とする請求項１記載の給水調節機能付き鉢植給水器。
【請求項３】
前記円筒部の先端部を植木鉢の土内に差込み易くするため、前記円筒部の先端部にテーパ状の小円筒が螺着されていることを特徴とする請求項１又は２記載の給水調節機能付き鉢植給水器。
【請求項４】
前記水槽部内に水に浮く浮玉を挿入し、前記水槽部内に水を入れた時に、前記浮玉によって水位が視認できるようにしたことを特徴とする請求項１乃至３のいずれか一に記載の給水調節機能付き鉢植給水器。
【発明の詳細な説明】
【技術分野】
【０００１】
本発明は、植木鉢等に水を給水する鉢植給水器に関し、特に、給水調節が可能であると共に、設置に場所をとらず、且つ、安価に製造できる給水調節機能付き鉢植給水器に関する。
【背景技術】
【０００２】
従来、植木鉢等に給水する鉢植給水方法として、例えば、植木鉢を水に浸漬させる方法、吸水材等を用いて植木の下方から水を吸水させる方法、植木鉢の上方にタンクを設置して水を滴下させる方法、毛細管現象を利用して水を滴下させる方法、タイマーを用いて所定時刻に水道水等を散布する方法等、種々の方法が行なわれている。
然しながら、これらの方法は、例えば、水分の供給が過剰になる、水分の供給調節が難しい、設備が大きくなる、設備が複雑になる、設備が高価になる、外観上好ましくない等の問題点があり、広く普及するに至っていない。
先行文献としては、例えば、特許文献１があり、特許文献１は、水貯溜用のタンクと給水タンクとを備え、給水タンク内の水量を浮きによるバルブの開閉作用によって自動的に一定レベルに保つようにするとともに、給水タンク内の水を吸い上げ部材の毛細管作用により給水タンクの外へ取り出し、鉢の培土上に自動滴下可能にするものである。
【特許文献１】実用新案登録第３１０００７１号公報
【発明の開示】
【発明が解決しようとする課題】
【０００３】
前述したように、従来の鉢植給水の方法は、水分の供給が過剰になる、給水調節が難しい、設備が大きくなる、設備が複雑になる、設備が高価になる、外観上好ましくない等の問題点があり、その解決が望まれている。
又、特許文献１も給水設備のサイズが比較的大きく、比較的複雑な装置である等の問題点を有している。
【０００４】
以上の現状に鑑み、本発明は、給水調節が可能であると共に、小型で設置に場所をとらず、且つ、簡素な構造で安価に製造できる給水調節機能付き鉢植給水器を提供することを目的とする。
【課題を解決するための手段】
【０００５】
上記の課題を解決すべく、本発明は以下の構成を提供する。
請求項１に係る発明は、給排水部に蓋部が螺着自在に設けられ、前記蓋部によって密閉自在の透明又は半透明の水槽部と、前記蓋部を貫通し、前記蓋部から外方に突設して設けられる透明又は半透明の円筒部と、前記蓋部を貫通し、前記水槽部内と前記円筒部内とを連通させる細筒とを備え、水を入れた前記水槽部を上にして、前記円筒部の先端を植木鉢の土内に差し込み、又は、植木鉢の土上面近傍に位置させ、前記蓋部の螺着を緩めると、前記螺着を緩めた割合に応じて、前記蓋部の隙間から前記水槽部に外気が進入し、外気の進入に応じて、前記水槽部内の水が前記水槽部内から前記細筒及び前記円筒部内を通過して前記植木鉢の土上に滴下するように構成されていることを特徴とする給水調節機能付き鉢植給水器を提供するものである。
【０００６】
請求項２に係る発明は、前記円筒部は、基端部がフランジ状に拡径して前記蓋部内に装着され、前記蓋部を前記給排水部に螺着すると、前記基端部はパッキンを介して前記給排水部に圧着され前記給排水部と前記基端部間が気密状態になり、前記蓋部の螺着を緩めると、前記給排水部と前記基端部間に生じる隙間から前記水槽部に外気が進入し、外気の進入に応じて、前記水槽部から前記細筒及び前記円筒部内を通過して前記水槽部の水が前記植木鉢の土上に滴下するように構成されていることを特徴とする請求項１記載の給水調節機能付き鉢植給水器を提供するものである。
【０００７】
請求項３に係る発明は、前記円筒部の先端部を植木鉢の土内に差込み易くするため、前記円筒部の先端部にテーパ状の小円筒が螺着されていることを特徴とする請求項１又は２記載の給水調節機能付き鉢植給水器を提供するものである。
【０００８】
請求項４に係る発明は、前記水槽部内に水に浮く浮玉を挿入し、前記水槽部内に水を入れた時に、前記浮玉によって水位が視認できるようにしたことを特徴とする請求項１乃至３のいずれか一に記載の給水調節機能付き鉢植給水器を提供するものである。
【発明の効果】
【０００９】
本発明の請求項１記載の発明によれば、給水調節が可能であると共に、小型であるため設置に場所をとらず、且つ、簡素な構造であるため安価に製造でき、更に、美観上も優れた給水調節機能付き鉢植給水器を提供することができる。又、本発明の給水調節機能付き鉢植給水器は、水槽部に水を補給することにより、何度でも繰り返し使用可能である。更に、水槽部と円筒部が透明又は半透明であるので、水位、滴下の確認が容易である。
【００１０】
請求項２記載の発明によれば、請求項１記載の発明の効果に加え、給排水部と基端部間に生じる隙間から水槽部に外気を進入させることができ、この外気の進入に応じて、水の滴下量を調節することができる。
【００１１】
請求項３記載の発明によれば、請求項１又は２記載の発明の効果に加え、テーパ状の小円筒によって円筒部の先端部を植木鉢の土内に差込み易くすることができる。
【００１２】
請求項４記載の発明によれば、請求項１乃至３のいずれか一に記載の発明の効果に加え、浮玉によって水位を確認できる。
【発明を実施するための最良の形態】
【００１３】
以下、実施例を示した図面を参照しつつ本発明の実施の形態を説明する。
図１に於いて、１は、本発明による給水調節機能付き鉢植給水器であり、給水調節機能付き鉢植給水器１は、円筒状に突設された給排水部２に蓋部３が螺着自在に設けられ、蓋部３によって密閉自在の透明又は半透明の水槽部４と、蓋部３を貫通し、蓋部３から外方に突設して設けられる透明又は半透明の円筒部５と、蓋部３を貫通し、水槽部４内と円筒部５内とを連通させる細筒６とを備えている。
尚、前記水槽部４は、例えば、好ましくは、約５００ｍｌの略球状のガラス容器で形成されるが、他の形状の容器でもよく、又、プラスチック等、他の材料で形成されてもよい。又、前記円筒部５はプラスチックで形成されている。尚、前記円筒部５は、図１に示すように先端側が細くなるようにテーパ形状に形成されても良い。
そして、図２に示す如く、前記円筒部５は、基端部７近傍が基端側に向かって半球状に次第に拡径すると共に、基端部７がフランジ状に拡径して蓋部３内に装着され、蓋部３を給排水部２に螺着すると、基端部７がパッキン８を介して給排水部２に圧着されるように構成されている。
又、前記円筒部５の先端部を植木鉢（図示せず）の土内に差込み易くするため、円筒部５の先端部に、先端側が細くなるようにテーパ形状に形成された小円筒９が螺着されている。
尚、図２に於いて１０は、パッキン８に設けられた空気を流入させるための空気孔である。
【００１４】
而して、図３に示すように、前記給水調節機能付き鉢植給水器１の蓋部３を外して水槽部４内に水Ｗを入れ、水Ｗを入れた水槽部４に蓋部３を被せ、水槽部４を上にして、テーパ形状の小円筒９及び円筒部５先端部を植木鉢１１の土１２中に差し込み、又は、植木鉢１１の土１２表面近傍に位置させ、蓋部３の螺着を適宜緩めると、螺着を緩めた割合に応じて、蓋部３と給排水部２との間に生じる隙間、即ち、蓋部３と円筒部５の基端部７間に生じる隙間、基端部７とパッキン８との間に生じる隙間、給排水部２とパッキン８との間に生じる隙間、及び、パッキンに設けられた空気孔１０等を介して外気が進入し、進入した外気は気泡１３を形成して水槽部４内に進入し、外気の進入に応じて、水槽部４内の水が水槽部４内から細筒６及び円筒部５内を通過して水滴１４となって植木鉢１１の土１２上に滴下する。
【００１５】
前記給水調節機能付き鉢植給水器１は、植木鉢１１に植えられた植物１５に対し、例えば、水５００ｍｌで最長１週間程度給水することができる。
【００１６】
図４に於いて、２１は、変形例の給水調節機能付き鉢植給水器を示し、給水調節機能付き鉢植給水器２１は、前記給水調節機能付き鉢植給水器（図１に於いて１）の水槽部４内に、水に浮く浮玉２２を挿入し、水槽部４内に水を入れた時に、浮玉２２によって水槽部４内の水位が視認できるようにしたものである。浮玉２２は、プラスチック、ガラス、ゴム等から形成される球形のカラーボールであることが好ましく、これによって、水槽部４内の水位が容易に確認できる。
【図面の簡単な説明】
【００１７】
【図１】（ａ）本発明による給水調節機能付き鉢植給水器の正面図である。（ｂ）本発明による給水調節機能付き鉢植給水器の蓋部の切欠斜視図である。（ｃ）本発明による給水調節機能付き鉢植給水器の蓋部の平面図である。
【図２】本発明による給水調節機能付き鉢植給水器の分解正面図である。
【図３】（ａ）本発明による給水調節機能付き鉢植給水器を植木鉢の土内に差し込んだ状態を示す斜視図である。（ｂ）本発明の円筒部が植木鉢の土内に差し込まれたときの水の滴下状態を示す拡大正面縦断面図である。
【図４】本発明による変形例の給水調節機能付き鉢植給水器の正面図である。
【符号の説明】
【００１８】
１，２１  給水調節機能付き鉢植給水器
２  給排水部
３  蓋部
４  水槽部
５  円筒部
６  細筒
７  基端部
８  パッキン
９  小円筒
１１  植木鉢
１２  土
２２  浮玉
【図１】
2010035456.tif 000003
【図２】
2010035456.tif 000004
【図３】
2010035456.tif 000005
【図４】
2010035456.tif 000006